(57)【要約】【課題】倒れにくく、美観の良いのぼり旗を提供する。【解決手段】のぼり旗１０は、支柱２０と、支柱２０の上端部に支柱２０と直交する状態で支持される吊り部材３０と、表側の面が外を向くように２枚のシート４１が背中合わせの状態で間隔をあけて連結されている旗４０とを含み、支柱２０は、旗４０の２枚のシート４１間を上下に貫通し、吊り部材３０に旗４０が吊り下げられている。【選択図】図１
0003219753.tif 000002
【実用新案登録請求の範囲】
【請求項１】
支柱と、
前記支柱の上端部に支柱と直交する状態で支持される吊り部材と、
表側の面が外を向くように２枚のシートが背中合わせの状態で間隔をあけて連結されている旗とを含み、
前記支柱は、前記旗の２枚のシート間を上下に貫通し、前記吊り部材に旗が吊り下げられている、のぼり旗。
【請求項２】
前記支柱は、固定台上に立設され、
前記旗の中心線から一方へずれた位置で２枚のシート間を貫通しており、前記吊り部材は、前記固定台に対して前記支柱を中心として回動自由である請求項１に記載ののぼり旗。
【請求項３】
前記支柱は、前記支柱本体の上端部に支持部が回動自由に接続されており、前記支持部に前記吊り部材が支持されている請求項１または２に記載ののぼり旗。
【請求項４】
前記旗の２枚のシートは、前記一方の側縁間の複数箇所が伸縮しない第１の連結部材により連結され、前記他方の側縁間の複数箇所が伸縮しない第２の連結部材により連結されており、前記第１の連結部材の長さは、前記第２の連結部材の長さよりも長い請求項１から３のいずれかに記載ののぼり旗。
【請求項５】
前記旗の２枚のシートは、上端縁間の少なくとも両端部及び中央部が伸縮しない第３の連結部材により連結されており、中央部の前記第３の連結部材の長さは、両端部の前記第３の連結部材の長さよりも長い請求項１から４のいずれかに記載ののぼり旗。
【請求項６】
前記旗の２枚のシートは、下端縁間が伸縮しない第４の連結部材により連結され、前記第４の連結部材には、前記支柱が貫通する貫通孔が形成されている請求項１から５のいずれかに記載ののぼり旗。
【請求項７】
前記吊り部材は、吊り部材本体の一端に先端部材が着脱自在に取付けられており、前記吊り部材本体が前記支柱の上端部に支持されている請求項１から６のいずれかに記載ののぼり旗。
【請求項８】
前記旗の２枚のシートは、下端部の対向する位置に補強部材が取付けられている請求項１から７のいずれかに記載ののぼり旗。
【請求項９】
前記旗の表側の面には、文字や図柄の形状を有する表示部が設けられ、前記表示部は、光を放つ素材を含む請求項１から８のいずれかに記載ののぼり旗。
【考案の詳細な説明】
【技術分野】
【０００１】
本考案は、のぼり旗に関するものであり、特に、美観が良く、倒れにくいのぼり旗に関する。
【背景技術】
【０００２】
従来より、様々なのぼり旗が知られている。例えば、特許文献１に記載ののぼり旗は、正面から見て矩形状を呈する２枚のシートを重ね合わせた旗と、支柱と、支柱の上端部に固定された吊り部材と、旗と支柱とを連結する旗吊り材と、支柱が支持される固定台とを有している。旗の側端部が旗吊り材により支柱に取付けられるとともに、旗の上端に設けられた環状部材により旗が吊り部材に吊り下げられている。
【先行技術文献】
【特許文献】
【０００３】
【特許文献１】実用新案登録第３１９７１６９号公報
【考案の概要】
【考案が解決しようとする課題】
【０００４】
しかし、特許文献１に記載の考案においては、旗を支持している支柱は旗の外側に位置しているため、のぼり旗の重心が支柱から離れた位置にあり、のぼり旗が倒れやすいという問題がある。また、支柱や旗吊り材が視認できるため、すっきりとしたデザインになりにくいという問題がある。
【０００５】
本考案は前記問題に鑑みてなされたものであり、倒れにくく、美観の良いのぼり旗を提供することを課題としている。
【課題を解決するための手段】
【０００６】
本考案によるのぼり旗は、支柱と、前記支柱の上端部に支柱と直交する状態で支持される吊り部材と、表側の面が外を向くように２枚のシートが背中合わせの状態で間隔をあけて連結されている旗とを含み、前記支柱は、前記旗の２枚のシート間を上下に貫通し、前記吊り部材に旗が吊り下げられている。
【０００７】
上記の構成によれば、支柱は、旗の２枚のシートの間に位置しているので、のぼり旗の重心が従来技術と比べて支柱に近くなり、のぼり旗が倒れにくい。また、従来技術のように旗の外に支柱が位置する場合に比べて、すっきりとしたデザインとなり美観が良い。
【０００８】
好ましい実施形態によれば、前記支柱は、固定台上に立設され、前記旗の中心線から一方へずれた位置で２枚のシート間を貫通しており、前記吊り部材は、前記固定台に対して前記支柱を中心として回動自由である。
【０００９】
好ましい実施形態によれば、前記支柱は、前記支柱本体の上端部に支持部が回動自由に接続されており、前記支持部に前記吊り部材が支持されている。
【００１０】
好ましい実施形態によれば、前記旗の２枚のシートは、前記一方の側縁間の複数箇所が伸縮しない第１の連結部材により連結され、前記他方の側縁間の複数箇所が伸縮しない第２の連結部材により連結されており、前記第１の連結部材の長さは、前記第２の連結部材の長さよりも長い。
【００１１】
前記旗の２枚のシートは、上端縁間の少なくとも両端部及び中央部が伸縮しない第３の連結部材により連結されており、中央部の前記第３の連結部材の長さは、両端部の前記第３の連結部材の長さよりも長くてもよい。
【００１２】
前記旗の２枚のシートは、下端縁間が伸縮しない第４の連結部材により連結され、前記第４の連結部材には、前記支柱が貫通する貫通孔が形成されていてもよい。
【００１３】
好ましい実施形態によれば、前記吊り部材は、吊り部材本体の一端に先端部材が着脱自在に取付けられており、前記吊り部材本体が前記支柱の上端部に支持されている。
【００１４】
前記旗の２枚のシートは、下端部の対向する位置に補強部材が取付けられていてもよい。
【００１５】
前記旗の表側の面には、文字や図柄の形状を有する表示部が設けられ、前記表示部は、光を放つ素材を含んでいてもよい。
【考案の効果】
【００１６】
本考案によれば、倒れにくく、美観の良いのぼり旗を提供できる。
【図面の簡単な説明】
【００１７】
【図１】本考案の一実施形態に係るのぼり旗の正面図である。
【図２】のぼり旗の右側面図である。
【図３】のぼり旗の左側面図である。
【図４】のぼり旗の左側面図の要部拡大図である。
【図５】のぼり旗の平面図である。
【図６】のぼり旗の図１のＡ−Ａ線に沿う断面図である。
【図７】支柱及び吊り部材の要部を拡大した断面図である。
【図８】旗が回転する原理の説明図である。
【考案を実施するための形態】
【００１８】
本考案の実施形態を図面を参照して説明する。
図１〜図８は、本考案の一実施形態ののぼり旗１０を示す。のぼり旗１０は、固定台１１と、固定台１１に立設される支柱２０と、支柱２０の上端部に支柱２０と直交する状態で支持される吊り部材３０と、表側の面が外を向くように２枚のシート４１が背中合わせの状態で間隔をあけて連結されている旗４０とを備えている。支柱２０は、旗４０の２枚のシート４１間を上下に貫通し、吊り部材３０に旗４０が吊り下げられている。なお、以下の説明では、図１における左右方向を「横方向」ともいい、上下方向を「縦方向」ともいう。また、旗４０の横方向において右側を「一方の側」又は「第１の側」、左側を「他方の側」又は「第２の側」ともいう。
【００１９】
旗４０は、正面から見た形状が縦方向に長い矩形状の２枚のシート４１が間隔をあけて配置されている。図１の正面図において各シート４１の右側の第１の側縁４１ａ同士は、図２に示す複数（本実施形態では６つ）の第１の各連結部材４２Ａ〜４２Ｆにより連結され、左側の第２の側縁４１ｂ同士は、図３に示す複数（本実施形態では６つ）の第２の各連結部材４３Ａ〜４３Ｆにより連結されている。第１、第２の各連結部材４２Ａ〜４２Ｆ、４３Ａ〜４３Ｆは、伸縮しないが可撓性のある帯状テープから構成され、長さ方向（旗４０の厚み方向）の両端部がそれぞれ各シート４１の側縁４１ａ、４１ｂに縫い付けられている。旗４０は、第１の連結部材４２Ａから第１の連結部材４２Ｆの間において、２枚のシート４１の第１の側縁４１ａ間の第１の距離Ｌ１が一定に保たれ、第２の連結部材４３Ａから第２の連結部材４３Ｆの間において、第２の側縁４１ｂ間の第２の距離Ｌ２が一定に保たれる。
【００２０】
第１の連結部材４２Ａ〜４２Ｆの間の間隔はそれぞれ等しく、第２の連結部材４３Ａ〜４３Ｆの間の間隔はそれぞれ等しい。最も上位置にある第１、第２の各連結部材４２Ａ、４３Ａは、各シート４１の上端縁４１ｃよりも下側に設けられ、最も下位置にある第１、第２の各連結部材４２Ｆ、４３Ｆは、各シート４１の下端縁４１ｄよりも上側に設けられている。本実施形態においては、第１の連結部材４２Ａ〜４２Ｆの長さは、第２の連結部材４３Ａ〜４３Ｆの長さよりも長く設定されており、２枚のシート４１の第１の側縁４１ａ間の第１の距離Ｌ１が、第２の側縁４１ｂ間の第２の距離Ｌ２より大きく保たれている。
【００２１】
第１の側縁４１ａ間であって、第１の各連結部材４２Ａ〜４２Ｆの間、第１の連結部材４２Ａの上方、第１の連結部材４２Ｆの下方の領域は、それぞれ第１の側の開口４７ａを構成し、旗４０の２枚のシート４１の間に風を取り込む風穴となる。また、第２の側縁４１ｂ間であって、第２の各連結部材４３Ａ〜４３Ｆの間、第２の連結部材４３Ａの上方、第２の連結部材４３Ｆの下方の領域は、それぞれ第２の側の開口４７ｂを構成し、２枚のシート４１の間に取り込んだ風を放出する風穴となる。第１の側縁４１ａ側の開口４７ａの面積は第２の側縁４１ｂ側の開口４７ｂの面積よりも大きい。
【００２２】
図５に示すように、旗４０の２枚のシート４１は、上端縁４１ｃ間の複数箇所が伸縮しない第３の連結部材４４Ａ〜４４Ｃにより連結されている。本実施形態においては、上端縁４１ｃの両端部及び中央部に、３つの第３の連結部材４４Ａ〜４４Ｃが設けられている。第３の連結部材４４Ａ〜４４Ｃは、第１、第２の各連結部材４２Ａ〜４２Ｆ、４３Ａ〜４３Ｆと同様の伸縮しない可撓性のある帯状テープであり、長さ方向（旗４０の厚み方向）の両端部が各シート４１の上端縁４１ｃに縫い付けられている。旗４０の上端縁４１ｃの両端部に位置する第３の連結部材４４Ａ、４４Ｂは、第１の連結部材４２Ａ〜４２Ｆと同じ長さに設定されている。すなわち、旗４０の上端縁４１ｃの左側に設けられた第３の連結部材４４Ｂの長さは、第２の連結部材４３Ａ〜４３Ｆの長さよりも長く設定されている。また、中央部に位置する第３の連結部材４４Ｃは、両端部に位置する第３の連結部材４４Ａ、４４Ｂよりも長く設定されており、旗４０の上端縁４１ｃは、中央部が両端部よりも旗４０の厚み方向の外側に撓んでいる。
【００２３】
第３の連結部材４４Ａ〜４４Ｃの長さ方向の中央部には、それぞれ、旗４０を吊り部材３０に吊り下げるための吊り材４５Ａ〜４５Ｃが設けられている。吊り材４５Ａ〜４５Ｃは、第３の連結部材４４Ａ〜４４Ｃと同じ素材からなる環状を呈した帯状テープからなる。
【００２４】
図６に示すように、旗４０の２枚のシート４１は、下端縁４１ｄ間が伸縮しない第４の連結部材４６により連結されている。第４の連結部材４６は、旗４０の横方向における中心線Ｐよりも一方の側（右側）に設けられている。第４の連結部材４６は、伸縮しないが可撓性のある第１〜第４の帯状部材４６Ａ〜４６Ｄからなる。第１、第２の帯状部材４６Ａ、４６Ｂは、所定の間隔を空けて、第１、第２の帯状部材４６Ａ、４６Ｂの面が向き合うように、長さ方向（旗４０の厚み方向）の両端部がそれぞれ各シート４１の下端縁４１ｄに縫い付けられている。第１、第２の帯状部材４６Ａ、４６Ｂの間には、その長さ方向の中央部に第３、第４の帯状部材４６Ｃ、４６Ｄが取付けられている。第３、第４の帯状部材４６Ｃ、４６Ｄは、所定の間隔を空けて、第３、第４の帯状部材４６Ｃ、４６Ｄの面が向き合うように、長さ方向（旗４０の横方向）の両端部がそれぞれ第１、第２の帯状部材４６Ａ、４６Ｂに縫い付けられている。
【００２５】
第１〜第４の帯状部材４６Ａ〜４６Ｄに囲まれる空間は、支柱２０が貫通する第４の連結部材４６の貫通孔４６ａを構成する。貫通孔４６ａは支柱２０の外径よりも大きく設定されており、旗４０が風を受けた時に、支柱２０に対して旗４０の下端部が多少動くことを許容するとともに、旗４０の下端部が大きく捲れ上がることを防ぐ。
【００２６】
旗４０の２枚のシート４１の内面の対向する位置に補強部材４８Ａ〜４８Ｄが取付けられている。本実施形態では、上端縁４１ｃ、下端縁４１ｄ、第１、第２の側縁４１ａ、４１ｂのそれぞれの略全長に亘って、補強部材４８Ａ〜４８Ｄである帯状の補強テープが縫い付けられている。上端縁４１ｃ、第１、第２の側縁４１ａ、４１ｂに縫い付けられる補強部材４８Ａ〜４８Ｃは、旗４０が風を受けた時に、シート４１が大きく撓んで旗４０に記載された文字や図柄が視認できなくなるのを防ぐことができる程度の強度があればよい。下端縁４１ｄに縫い付けられる補強部材４８Ｄは、風が吹いたときにシート４１の下端縁４１ｄが風の進む方向に大きく撓まずに、旗４０が風を受け止めて受け吊り部材３０及び支柱２０の支持部２２とともに回転できるような強度に設定しており、本実施形態では、補強部材４８Ａ〜４８Ｃと同じ補強テープを６枚重ねて縫い合わせて形成している。
【００２７】
なお、補強部材４８Ａ〜４８Ｄは帯状の補強テープに限らず、強度が確保できればどのような構成であってもよく、例えば、プラスチックや竹などを素材とした棒を２枚のシート４１の内面の上端縁４１ｃ、下端縁４１ｄ、第１、第２の側縁４１ａ、４１ｂに取付けてもよい。
【００２８】
各シート４１の表面には、宣伝用の文字や図柄からなる表示部４９が設けられている。表示部４９の文字又は図柄は、シート４１に印刷されていてもよいが、文字や図柄の形状を有する布地またはテープがシート４１の表面に縫い付けられていてもよい。この場合、表示部４９は、蛍光材、蓄光材等の光を放つ素材を含む布地またはテープであってもよい。
【００２９】
支柱２０は、例えば合成樹脂製であり、支柱本体２１と、支柱本体２１の上端部に着脱自由及び回動自由に接続される支持部２２とを備えている。支柱本体２１は、断面が円形の本体部２１ａと、本体部２１ａの上端面から延び、支持部２２を係止するための本体部２１ａより直径の小さい円柱状の係止部２１ｂとを備えている。
【００３０】
支持部２２は、円柱体であり、下端面に支柱本体２１の係止棒が挿入される係止穴２２ａが形成されている。係止穴２２ａの内径は、支柱本体２１の係止部２１ｂの外径よりも若干大きく、支持部２２が支柱本体２１に対して着脱自由及び回動自由となっている。支持部２２の上側には、吊り部材３０を挿通させて支持するための貫通孔２２ｂが、支柱２０の長さ方向と直交する方向、すなわち、図１における横方向に貫通している。支持部２２は支柱本体２１に対して回動自由であるため、支持部２２に支持された吊り部材３０は、固定台１１及び支柱２０に対して支柱２０を中心として回動自由である。
【００３１】
支柱２０は、全長が旗４０の縦方向の長さよりも長く設定されており、吊り部材３０に旗４０が取付けられたときに、旗４０の２枚のシート４１の間であって、旗４０の横方向において中心線Ｐより第１の側縁４１ａ側にずれた位置で２枚のシート４１間を貫通している。支持部２２の長さは、支持部２２の下端が旗４０の２枚のシート４１の間に位置するように設定される。
【００３２】
吊り部材３０は、例えば合成樹脂製であり、全長が旗４０の横方向の長さと略同一に設定されている。吊り部材３０は、吊り部材本体３１と、吊り部材本体３１の一方の端部に着脱自由に取付けられる先端部材３２とを備えている。吊り部材本体３１は、断面が円形の本体部３１ａと、本体部３１ａの右端面から延び、先端部材３２を係止するための本体部３１ａより直径の小さい円柱状の係止部３１ｂとを備えている。本体部３１ａの左端面には、旗４０の吊り材４５Ｂが係止可能な大きさのスリット３３Ｂが形成されている。スリット３３Ｂは、旗４０の厚み方向及び横方向を含む面に沿って、本体部３１ａを旗４０の厚み方向に貫通するように設けられている。なお、スリット３３Ｂは、旗４０の横方向及び縦方向を含む面に沿うように設けられていてもよい。吊り部材本体３１の本体部３１ａは支柱２０の支持部２２の貫通孔２２ｂに挿通され、接着剤等により固定されている。
【００３３】
吊り部材３０の右端から支柱２０の軸心までの長さＬ３に対する支柱２０の軸心から吊り部材３０の左端までの長さＬ４の比Ｒ（Ｒ＝Ｌ４／Ｌ３）は、本実施形態で２としている。しかし、これに限定されず、１．２であってもよく、１．４であってもよく、１．２以上、３以下であってもよい。
【００３４】
先端部材３２は、吊り部材本体３１の係止部３１ｂに着脱自在に取付けられている。先端部材３２の円柱体の左端面に、吊り部材本体３１の係止部３１ｂが挿入される係止穴３２ａが形成されている。係止穴３２ａの内径は、吊り部材本体３１の係止部３１ｂの外径と略同じに設定されており、係止穴３２ａの内面と係止部３１ｂの外面との間の摩擦力により先端部材３２が吊り部材本体３１から抜け落ちることはないが、作業者が先端部材３２を引っ張ることで、吊り部材本体３１から取り外すことができる。先端部材３２を着脱自由とすることで、作業者は旗４０を吊り部材３０に取付けやすくなる。
【００３５】
先端部材３２の右端部には、旗４０の吊り材４５Ａが係止可能な大きさのスリット３３Ａが形成されている。スリット３３Ａの形状は吊り部材本体３１に形成されたスリット３３Ｂの形状と同じであるため、説明を省略する。
【００３６】
吊り部材３０の吊り部材本体３１の左端部から旗４０の上端部の吊り材４５Ｃの中空部に吊り部材３０が挿通され、吊り部材本体３１のスリット３３Ｂに、吊り材４５Ｂが係止され、先端部材３２のスリット３３Ａには吊り材４５Ａが係止されることで、旗４０が吊り部材３０に取付けられる。環状の吊り材４５Ａ〜４５Ｃは同一形状を有しており、吊り材４５Ｃは吊り部材３０の上端に支持されるため、スリット３３Ａ、３３Ｂに係止される吊り材４５Ａ、４５Ｂよりも上方に引っ張られるが、第３の連結部材Ｃの長さが第３の連結部材４４Ａ、４４Ｂよりも長いために、第３の連結部材Ｃの中央部が上方に引っ張られ、旗４０の上端縁４１ｃは略同じ高さ位置に保たれる。
【００３７】
固定台１１は、正面から見た形状が台形であり、素材は限定されないが、例えば合成樹脂から形成されている。固定台１１は、内部に、砂、水などの重量物が注入される中空部を有する。固定台１１の上面の中央部には、支柱２０の下端部が差し込まれる穴１１ａが形成されている。穴の内径は支柱２０の外径と略同じであり、支柱２０の外周面と穴１１ａの内周面との間の摩擦力により、支柱２０は固定台１１に固定されている。なお、穴１１ａの内径を支柱２０の外径よりも大きくし、支柱２０が固定台１１に対して回動自由としてもよい。
【００３８】
図８（Ａ）〜図８（Ｃ）は、本考案ののぼり旗１０が風を受けた時の動作を説明するための概略平面図である。図８（Ａ）〜図８（Ｃ）においては、説明のために旗４０の２枚のシート４１と、支柱２０とを示している。図８（Ａ）に示すように、旗４０の一方のシート４１の表面が矢印Ａの方向に吹いた風を受けると、シート４１の支柱２０よりも他方側の面積は、一方側の面積よりも大きいので、風によりシート４１の他方側が受ける力の方がシート４１の一方側が受ける力よりも大きく、図８（Ｂ）に示すように、旗４０は支柱２０を回動中心として回動する。このとき、支柱２０は旗４０の横方向の中心線Ｐよりも一方の側にずれた位置しているため、旗４０の第１の側縁４１ａの間の第１の開口４７ａが必ず風上に向くように旗４０が回動する。
【００３９】
風は開口４７ａから２枚のシート４１の間に入り込み、旗４０の第２の側縁４１ｂの間の第２の側の開口４７ｂから旗４０の外に出て行く。このとき、第１の側縁４１ａ側の開口４７ａは第２の側縁４１ｂ側の開口４７ｂよりも大きいために、開口４７ａを通る風と開口４７ｂを通る風との間で圧力に差が生じ、これにより２枚のシート４１には外側に向けて力が作用し、図８（Ｃ）に示すように旗４０は外側に向けて膨らむ。
【００４０】
上記の構成によれば、支柱２０は、旗４０の２枚のシート４１の間に位置しているので、のぼり旗１０の重心が従来技術と比べて支柱２０に近くなり、のぼり旗１０が倒れにくい。また、従来技術のように旗４０の外に支柱２０が位置する場合に比べて、すっきりとしたデザインとなり美観が良い。
【００４１】
また、支柱２０は、旗４０の横方向において中心線Ｐより一方の側に位置しており、吊り部材３０が支柱２０または固定台１１に対して回転自由であるため、旗４０の表面に風を受けると、旗４０が回転し、風は旗４０の第１の側縁４１ａ側の開口４７ａから２枚のシート４１の間に入り、第２の側縁４１ｂ側の開口４７ｂから出て行く。このため、のぼり旗１０が強い風を受けた場合に、旗４０の表面に風を受ける場合に比べてのぼり旗１０が倒れにくくなる。また、旗４０の２枚のシート４１の間に入り込む風によって、旗４０は外側に向けて膨らむため、旗４０の表面に書かれた文字や図柄等の表示部４９が通行人に視認されやすくなり、宣伝効果を発揮することができる。
【００４２】
さらに、旗４０の２枚のシート４１は、伸縮しない第１、第２の各連結部材４２Ａ〜４２Ｆ、４３Ａ〜４３Ｆにより連結されているため、第１の側の開口４７ａ及び第２の側の開口４７ｂが確実に形成され、風を２枚のシート４１の間に受け入れ、また２枚のシート４１の間から放出することができる。
【００４３】
また、第１〜第４の各連結部材を同じ素材、同じ幅の帯状テープを用いて製造することで、製造が簡単になり、製造コストを抑えることができる。
【００４４】
また、２枚のシート４１の上端縁４１ｃに、第１、第２の各連結部材４２Ａ〜４２Ｆ、４３Ａ〜４３Ｆの長さよりも長い第３の連結部材４４Ａ〜４４Ｃを設けることで、２枚のシート４１の間に風を取り込んで各シート４１が旗４０の厚み方向の外側に広がる際に、シート４１の上端部が先に広がり、引っ張りの力が最も上側にある第１、第２の各連結部材４２Ｆ、４３Ｆに急激に作用するのを防ぐことができる。
【００４５】
また、吊り部材３０の先端部材３２を吊り部材本体３１の第２の側ではなく支柱２０に近い第１の側に設けることで、旗４０が風を受けると、吊り部材３０は回動して先端部材３２が風上に向かう方向に位置する。このため、先端部材３２は吊り部材本体３１に押しつけられるように風により力を受け、先端部材３２は吊り部材本体３１から抜け落ちにくくなる。
【００４６】
なお、本実施形態では、支柱２０の支柱本体２１の上端部に支持部２２が回動自由に接続されることで、支持部２２に支持された吊り部材３０は固定台１１に対して支柱２０を中心として回動自由であるが、この構成に限定されず、例えば、支柱本体２１と支持部２２とが固定されており、支柱本体２１が固定台１１に対して回動自由であってもよい。
【００４７】
以上、本考案の一実施形態について説明したが、本考案は上記実施形態に限定されるものではなく、本考案の趣旨を逸脱しない限りにおいて種々の変更が可能である。
【符号の説明】
【００４８】
１０  のぼり旗
１１  固定台
２０  支柱
２１  支柱本体
２２  支持部
３０  吊り部材
３１  吊り部材本体
３２  先端部材
３３Ａ、３３Ｂ  スリット
４０  旗
４２Ａ〜４２Ｆ  第１の連結部材
４３Ａ〜４３Ｆ  第２の連結部材
４４Ａ〜４４Ｃ  第３の連結部材
４６  第４の連結部材
４５Ａ〜４５Ｃ  吊り材
４８Ａ〜４８Ｄ  補強部材
４９  表示部
【図１】
0003219753.tif 000003
【図２】
0003219753.tif 000004
【図３】
0003219753.tif 000005
【図４】
0003219753.tif 000006
【図５】
0003219753.tif 000007
【図６】
0003219753.tif 000008
【図７】
0003219753.tif 000009
【図８】
0003219753.tif 000010
【手続補正書】
【提出日】平成30年11月13日(2018.11.13)
【手続補正１】
【補正対象書類名】実用新案登録請求の範囲
【補正対象項目名】全文
【補正方法】変更
【補正の内容】
【実用新案登録請求の範囲】
【請求項１】
支柱と、
前記支柱の上端部に支柱と直交する状態で支持される吊り部材と、
表側の面が外を向くように２枚のシートが背中合わせの状態で間隔をあけて連結されている旗とを含み、
前記支柱は、前記旗の２枚のシート間を上下に貫通し、前記吊り部材に旗が吊り下げられている、のぼり旗。
【請求項２】
前記支柱は、固定台上に立設され、
前記旗の中心線から一方へずれた位置で２枚のシート間を貫通しており、前記吊り部材は、前記固定台に対して前記支柱を中心として回動自由である請求項１に記載ののぼり旗。
【請求項３】
前記支柱は、前記支柱本体の上端部に支持部が回動自由に接続されており、前記支持部に前記吊り部材が支持されている請求項１または２に記載ののぼり旗。
【請求項４】
前記旗の２枚のシートは、一方の側縁間の複数箇所が伸縮しない第１の連結部材により連結され、他方の側縁間の複数箇所が伸縮しない第２の連結部材により連結されており、前記第１の連結部材の長さは、前記第２の連結部材の長さよりも長い請求項１から３のいずれかに記載ののぼり旗。
【請求項５】
前記旗の２枚のシートは、上端縁間の少なくとも両端部及び中央部が伸縮しない第３の連結部材により連結されており、中央部の前記第３の連結部材の長さは、両端部の前記第３の連結部材の長さよりも長い請求項１から４のいずれかに記載ののぼり旗。
【請求項６】
前記旗の２枚のシートは、下端縁間が伸縮しない第４の連結部材により連結され、前記第４の連結部材には、前記支柱が貫通する貫通孔が形成されている請求項１から５のいずれかに記載ののぼり旗。
【請求項７】
前記吊り部材は、吊り部材本体の一端に先端部材が着脱自在に取付けられており、前記吊り部材本体が前記支柱の上端部に支持されている請求項１から６のいずれかに記載ののぼり旗。
【請求項８】
前記旗の２枚のシートは、下端部の対向する位置に補強部材が取付けられている請求項１から７のいずれかに記載ののぼり旗。
【請求項９】
前記旗の表側の面には、文字や図柄の形状を有する表示部が設けられ、前記表示部は、光を放つ素材を含む請求項１から８のいずれかに記載ののぼり旗。